(57)【特許請求の範囲】
【請求項１】
光ファイバを介して局側装置とデータ送受信を行う加入者側装置において、
前記局側装置から、前記データ送受信に用いるデータ光信号の波長と異なる波長で連続して送信される映像光信号を受信し、当該映像光信号の光受信レベルを検出する光受信レベル検出部と、
前記光受信レベル検出部が検出する前記映像光信号の光受信レベルに基づき、上りデータ光信号の光送信レベルを指示する上り光送信レベル指示部と、
前記上り光送信レベル指示部が指示する光送信レベルで、前記上りデータ光信号を前記局側装置へ送信する上りデータ光信号送信部を備えることを特徴とする加入者側装置。
【請求項２】
前記上り光送信レベル指示部は、
前記光受信レベル検出部により検出される光受信レベルが所定の閾値以下に低下した場合に、前記低下した光受信レベルに基づき既定値より増加させた光送信レベルを指示することを特徴とする請求項１記載の加入者側装置。
【請求項３】
前記連続光信号の前記局側装置が送信する光送信レベルを保持する連続光信号送信レベル保持部と、
前記上りデータ光信号の前記局側装置が受信可能な光受信レベルを保持する上り光信号受信レベル保持部をさらに備え、
前記上り光送信レベル指示部は、
前記光受信レベル検出部が検出する光受信レベルと前記連続光信号送信レベル保持部が保持する光送信レベルと前記上り光信号受信レベル保持部が保持する光受信レベルとを用いて、前記局側装置が受信可能となる上りデータ光信号の光送信レベルを指示することを特徴とする請求項１記載の加入者側装置。
【請求項４】
局側装置と加入者側装置を光ファイバで接続してデータ送受信を行う光通信システムにおいて、
前記加入者側装置は、
前記局側装置がデータ送受信に用いるデータ光信号の波長と異なる波長で連続して送信する連続光信号の光受信レベルを検出する光受信レベル検出部と、
前記光受信レベル検出部が検出する光受信レベルに基づき上りデータ光信号の光送信レベルを指示する上り光送信レベル指示部と、
前記上り光送信レベル指示部が指示する光送信レベルで前記上りデータ光信号を前記局
側装置へ送信する上りデータ光信号送信部と、
前記光受信レベル検出部が検出する光受信レベルが所定の閾値以下に低下した場合に、
光受信レベル変化検出信号を前記局側装置に送信する光受信レベル変化検出信号送信手段を備え、
前記局側装置は、
前記光受信レベル変化検出信号を受信した場合に、既定値より増加させた光送信レベルで前記加入者側装置に下りデータ光信号を送信する下りデータ光信号送信部を備えることを特徴とする光通信システム。
【請求項５】
局側装置と加入者側装置を光ファイバで接続してデータ送受信を行う光通信システムにおいて、
前記加入者側装置は、
前記局側装置がデータ送受信に用いるデータ光信号の波長と異なる波長で連続して送信する連続光信号の光受信レベルを検出する光受信レベル検出部と、
前記光受信レベル検出部が検出する光受信レベルに基づき上りデータ光信号の光送信レベルを指示する上り光送信レベル指示部と、
前記上り光送信レベル指示部が指示する光送信レベルで前記上りデータ光信号を前記局側装置へ送信する上りデータ光信号送信部と、
前記光受信レベル検出部が検出する前記連続光信号の光受信レベルを前記局側装置に送信する光受信レベル送信手段を備え、
前記局側装置は、
前記光受信レベル送信手段が送信する前記連続光信号の光受信レベルを保持する連続光信号受信レベル保持部と、
下りデータ光信号の前記加入者側装置が受信可能な光受信レベルを保持する下り光信号受信レベル保持部と、
前記連続光信号受信レベル保持部が保持する連続光信号の光受信レベルと前記下り光信号受信レベル保持部が保持する下りデータ光信号の光受信レベルとを用いて算出される前記加入者側装置が受信可能となる光送信レベルで下りデータ光信号を送信する下りデータ光信号送信部を備えることを特徴とする光通信システム。
【請求項６】
前記下り光信号受信レベル保持部が保持する光受信レベルは、前記加入者側装置から受信して保持されることを特徴とする請求項５記載の光通信システム。
【請求項７】
前記加入者側装置は、
前記連続光信号の前記局側装置が送信する光送信レベルを保持する連続光信号送信レベル保持部と、
前記上りデータ光信号の前記局側装置が受信可能な光受信レベルを保持する上り光信号受信レベル保持部をさらに備え、
前記上り光送信レベル指示部は、前記光受信レベル検出部が検出する光受信レベルと前記連続光信号送信レベル保持部が保持する光送信レベルと前記上り光信号受信レベル保持部が保持する光受信レベルとを用いて、前記局側装置が受信可能となる上りデータ光信号の光送信レベルを指示することを特徴とする請求項４乃至６のいずれか１項に記載の光通信システム。
【請求項８】
前記連続光信号送信レベル保持部が保持する光送信レベルは、前記局側装置から受信して保持されることを特徴とする請求項７に記載の光通信システム。
【請求項９】
前記上り光信号受信レベル保持部が保持する光受信レベルは、前記局側装置から受信して保持されることを特徴とする請求項７または８に記載の光通信システム。
【請求項１０】
前記連続光信号は、映像信号により変調されていることを特徴とする請求項４乃至項９のいずれか１項に記載の光通信システム。
【発明の詳細な説明】
【技術分野】
【０００１】
この発明は、局側装置と光ファイバで接続され、光信号を送受信する加入者側装置において、局側装置へ送信する光送信レベルを調整する加入者側装置に関するものである。
【背景技術】
【０００２】
局側装置と複数の加入者側装置を光ファイバとスターカプラで接続するデータ伝送システムでは、一般的に局側装置から各加入者側装置までの距離が異なるため、光ファイバおよびスターカプラからなる光伝送路の伝送路損失が、各加入者側装置で異なる値となる。各加入者側装置の上りデータ光信号の光送信レベルは、上記伝送路損失が規格上の最大値となる場合においても、通信品質が劣化しない光送信レベルとなるよう設定する必要がある。
【０００３】
加入者側装置の光送信レベル設定の方法として、加入者側装置製造段階にあらかじめ設定する方法、加入者側装置設置時に伝送路損失を算出または測定して適正値に設定する方法、加入者側装置に下りデータ光信号の光受信レベルを検出する機能を具備させ光送信レベルを自動設定する方法が考えられる。特許文献１では、加入者側装置において下りデータ光信号の光受信レベルを検出して、光送信レベルを自動設定する方法を開示している。
【０００４】
一方、特許文献２では、局側装置において下りデータ光信号に映像光信号を多重化して多数の加入者側装置に配信するデータ伝送システムを開示している。この場合、多重化された下りデータ光信号と映像光信号は、各加入者側装置で、下りデータ光信号と映像光信号に分離される。
【先行技術文献】
【特許文献】
【０００５】
【特許文献１】特許第４１６９８７８号
【特許文献２】特許第３９９３０９１号
【発明の概要】
【発明が解決しようとする課題】
【０００６】
上記のように、加入者側装置の上りデータ光信号の光送信レベルの適正値は、各加入者側装置で異なる値となる。しかし、従来のデータ伝送システムにおける、加入者側装置の上りデータ光信号の光送信レベルを、加入者側装置製造段階に一律に設定する方法では、加入者側装置の設置場所によっては、局側装置から加入者側装置までの距離が短くなることにより、局側装置への光入力レベルが過大になるという課題があった。また、加入者側装置の上りデータ光信号の光送信レベルが、適正値と比較して大きく設定されるため、加入者側装置の消費電力が高くなるという課題があった。加入者側装置の上りデータ光信号の光送信レベルを、加入者側装置設置時に伝送路損失を算出して適正値に設定する方法では、設置時の作業量が増大するという課題があった。また、経年変化に伴う伝送路損失の増大により、局側装置への光入力レベルが小さくなり、通信品質が劣化する可能性があるという課題があった。加入者側装置に下りデータ光信号の光受信レベルを検出する機能を具備し、加入者側装置の上りデータ光信号の光送信レベルを自動設定する方法では、下りデータ光信号が断続的に入力することに対応するために、下りデータ光信号レベル検出時に、下りデータ光信号を受信中かどうか判定する必要があり、下りデータ光信号レベルを検出する回路が複雑となり、加入者側装置の製造コストや組み立てコストが増大するという課題があった。また、下りデータ光信号のデータが０に偏った場合や１に偏った場合、下りデータ光信号レベルの検出結果に誤差が発生するという課題があった。
【課題を解決するための手段】
【０００７】
この発明に係る光ファイバを介して局側装置とデータ送受信を行う加入者側装置は、前記局側装置から、前記データ送受信に用いるデータ光信号の波長と異なる波長で連続して送信される映像光信号を受信し、当該映像光信号の光受信レベルを検出する光受信レベル検出部と、前記光受信レベル検出部が検出する前記映像光信号の光受信レベルに基づき、上りデータ光信号の光送信レベルを指示する上り光送信レベル指示部と、前記上り光送信レベル指示部が指示する光送信レベルで、前記上りデータ光信号を前記局側装置へ送信する上りデータ光信号送信部を備えることを特徴とする。
【発明の効果】
【０００８】
この発明によれば、加入者側装置において連続光信号の光受信レベルを検出し、検出した光受信レベルを用いて光送信レベルを調整する構成としたので、光受信レベルを検出する回路を簡素化し、かつ光受信レベルの検出精度を向上させ、加入者側装置が適切な光送信レベルで、上りデータ光信号を送信することが可能となるという効果がある。
【図面の簡単な説明】
【０００９】
【図１】本発明の実施の形態１における光通信システム
【図２】下りデータ光信号の光入力レベルの時系列変化
【図３】映像光信号の光入力レベルの時系列変化
【図４】本発明の実施の形態２における光通信システム
【図５】本発明の実施の形態３における光通信システム
【図６】本発明の実施の形態４における光通信システム
【発明を実施するための形態】
【００１０】
実施の形態１．
図１は、本発明の実施の形態１における加入者側装置と、これを含む光通信システムの構成を示したものである。図１において加入者側装置３０１は光ファイバ２０１を介して局側装置１０１と接続し、光通信システムを構成する。
【００１１】
加入者側装置３０１は、局側装置１０１が送受信するデータ光信号を送受信する加入者側データ信号用送受信部３１１、局側装置１０１が連続して送信する映像信号により変調された映像光信号（連続光信号）を電気信号に変換する映像信号用フォトダイオード３２１、映像信号用フォトダイオード３２１が電気信号に変換した信号を処理する映像信号受信部３２２、映像信号用フォトダイオード３２１の出力信号から映像光信号の光受信レベルを検出する光受信レベル検出部３２３、映像信号の光受信レベルに関する閾値を保持する光受信レベル閾値保持部３２４、上りデータ光信号の光送信レベルを指示する上り光送信レベル指示部３２５、上りデータ光信号と下りデータ光信号と局側装置１０１から送出される映像光信号とを波長分離多重する第１波長分離多重部３３１を含んで構成される。
【００１２】
加入者側データ信号用送受信部３１１は、上りデータ信号と下りデータ信号とを多重分離する加入者側データ信号処理部３１２、上りデータ信号を電気信号から光信号に変換する上り用レーザダイオード３１３、局側装置１０１が送信する下りデータ光信号を光信号から電気信号に変換する下りデータ信号用フォトダイオード３１４、上りデータ光信号と下りデータ光信号を波長分離多重する第２波長分離多重部３１５、上り用レーザダイオード３１３の光送信レベルを調整する上り用レーザダイオード駆動部３１６から構成される。上りデータ光信号送信部は、上り用レーザダイオード３１３と上り用レーザダイオード駆動部３１６から構成される。
【００１３】
加入者端末４０１は、加入者側装置３０１と接続し、データ信号の送受信と映像信号の受信を行なう。
【００１４】
図２は、下りデータ光信号の光入力レベルの時系列変化の例を示すグラフである。局側装置１０１が送信するデータは２値化されているため、送信データが０に偏る場合、加入者側装置３０１で検出される光受信レベルは、送信データに偏りがない場合と比較して小さくなる。図３は、映像光信号の光入力レベルの時系列変化の例を示すグラフである。映像信号は、さまざまな値となり、かつ値に偏りが発生しにくいため、送信される映像信号の値によらず、加入者側装置３０１で検出される光受信レベルは一定となる。すなわち、光受信レベル検出対象を映像光信号とする場合、光受信レベル検出対象をデータ光信号とする場合と比較して、より精度の高い光受信レベルの検出が可能となる。
【００１５】
なお、上りデータ光信号、下りデータ光信号および映像光信号は、それぞれ異なる波長が割り当てられている。
【００１６】
次に動作について説明する。第１波長分離多重部３３１は、局側装置１０１が光ファイバ２０１を介して送信する映像光信号と下りデータ光信号とを波長多重した信号を受信し、映像光信号と下りデータ光信号とに波長分離する。第１波長分離多重部３３１は、映像光信号を映像信号用フォトダイオード３２１に送出し、下りデータ光信号を第２波長分離多重部３１５に送出する。映像信号用フォトダイオード３２１は、映像光信号を光信号から電気信号に変換し、映像信号受信部３２２および光受信レベル検出部３２３に送出する。映像信号受信部３２２は、電気信号に変換された映像信号により変調された信号に対して所定の信号処理を実施し、加入者端末４０１に送出する。光受信レベル検出部３２３は、映像信号用フォトダイオード３２１の出力信号から映像光信号の光受信レベルを検出し、上り光送信レベル指示部３２５に通知する。
【００１７】
局側装置１０１が、映像光信号を連続して送信するため、光受信レベル検出部３２３は、映像光信号を加入者側装置３０１が受信中かどうか判定する必要はない。また、光受信レベル検出部３２３が光受信レベルを検出する周期は、想定される局側装置１０１と加入者側装置３０１との間の伝送路損失の変化に要する時間に応じて、連続して映像光信号の光受信レベルを検出するようにしてもよいし、所定の周期で映像光信号の光受信レベルを検出するようにしてもよい。光受信レベルを検出する周期を長くする場合、加入者側装置３０１の単位時間当たりの光受信レベルの検出と光送信レベル指示（後述）を実施する回数は少なくなり、引いては加入者側装置３０１の年間消費電力量は小さくなる。
【００１８】
上り光送信レベル指示部３２５は、光受信レベル検出部３２３により通知された光受信レベルが、光受信レベル閾値保持部３２４が保持する閾値以下の場合、上りデータ光信号光送信レベルを、所定の値上昇させるよう、上り用レーザダイオード駆動部３１６に指示する。なお、光受信レベル閾値保持部３２４は、加入者側装置３０１の運用期間中における前記光受信レベルの最大値から既定の値だけ低い値を算出し、この値を閾値として保持するようにしてもよい。この場合、加入者側装置３０１に、あらかじめ局側装置１０１と加入者側装置３０１との間の伝送路損失を測定して、光受信レベル閾値保持部３２４に適切な閾値を保持させるという作業が不要となる。
【００１９】
第２波長分離多重部３１５は、第１波長分離多重部３３１が波長分離した下りデータ光信号を、下りデータ信号用フォトダイオード３１４に送出する。下りデータ信号用フォトダイオード３１４は、下りデータ光信号を光信号から電気信号に変換し、加入者側データ信号処理部３１２へ送出する。加入者側データ信号処理部３１２は、下りデータ信号に対して所定の信号処理を実施し、加入者端末４０１に送出する。
【００２０】
加入者側データ信号処理部３１２は、加入者端末４０１が送出する上りデータ信号に、所定の信号処理を実施後、上り用レーザダイオード駆動部３１６に送出する。上り用レーザダイオード駆動部３１６は、加入者側データ信号処理部３１２が送出する上りデータ信号が、上り光送信レベル指示部３２５から指示された光送信レベルで送出されるよう、上り用レーザダイオード３１３を駆動する。上り用レーザダイオード３１３は、上りデータ信号を電気信号から指示されたレベルの光信号に変換し、第２波長分離多重部３１５へ送出する。第２波長分離多重部３１５は、光信号に変換された上りデータ光信号を、第１波長分離多重部３３１へ送出する。第１波長分離多重部３３１は、上りデータ光信号を光ファイバ２０１に送出する。光ファイバ２０１に送出された上りデータ光信号は、局側装置１０１に到達する。
【００２１】
光ファイバ２０１の経年変化等に伴い、局側装置１０１と加入者側装置３０１との間の伝送路損失が増大した場合、局側装置１０１における上りデータ光信号の光受信レベルは、加入者側装置３０１を設置した当初と比較して低くなる。上り光送信レベル指示部３２５は、光ファイバ２０１の経年変化等による映像信号の光受信レベルの変化を検出して、上りデータ光信号の光送信レベルを上昇させるよう上り用レーザダイオード駆動部３１６に指示するため、局側装置１０１は、光ファイバ２０１の経年変化等による伝送路損失の増大に係わらず、上りデータ光信号を受信することが可能である。
【００２２】
以上のように、本実施の形態１によれば、局側装置が連続して送信する映像信号により変調された映像光信号（連続光信号）を受信レベルの検出対象とする構成としたので、より精度の高い受信レベルを検出することができる。また、局側装置が連続して送信する信号を受信レベルの検出対象とすることにより、信号を受信中かどうか判定する必要がなく、受信レベル検出部を簡素化することが可能となる。さらに、受信レベルの変化を検出して、加入者側装置の上りデータ信号光送信レベルを、自動で調整する構成としたので、上りデータ信号光送信レベルを、光ファイバの経年変化等による局側装置と加入者側装置との間の伝送路損失の増大によらず、適切な値とすることが可能となる。
【００２３】
なお、本実施の形態１では、局側装置が連続して送信する、映像信号により変調された映像光信号を光受信レベルの検出対象としたが、映像信号などにより変調されていない連続光信号を光受信レベルの検出対象としてもよい。映像信号などにより変調されていない連続光信号は、一定の値となり、かつ値に偏りが発生しないため、同様の動作を行なわせることができる。この場合、局側装置と加入者側装置の構成が簡素となり、製造コストや組み立てコストを小さくすることが可能となる。
【００２４】
実施の形態２．
図４は、本発明の実施の形態２における加入者側装置と、これを含む光通信システムの構成を示したものである。図１と同じ符号のものは同様の機能を有するので、説明を繰り返さない。図４において光通信システムは、局側装置１０１が、スターカプラ２０２によって複数の光ファイバ２０４ａ〜２０４ｎに分岐された光ファイバ２０１を介し、複数の加入者側装置３０２ａ〜３０２ｎと接続する構成であり、局側装置と複数の加入者側装置とがスターカプラを介して１本の光ファイバで双方向のデータ通信を行なう通信システムである。
【００２５】
局側装置１０１は、複数の加入者側装置３０２ａ〜３０２ｎが送受信するデータ光信号を送受信する局側データ信号用送受信部１１１、映像信号により変調された映像光信号（連続光信号）を複数の加入者側装置３０２ａ〜３０２ｎに連続して送信する映像信号送信部１２１、上りデータ光信号と下り光データ信号と映像光信号とを波長分離多重する第１波長分離多重部１３１を含んで構成される。
【００２６】
局側データ信号用送受信部１１１は、上りデータ信号および下りデータ信号を多重分離する局側データ信号処理部１１２、下りデータ信号を電気信号から光信号に変換する下り用レーザダイオード１１３、複数の加入者側装置３０２ａ〜３０２ｎが送信する上りデータ光信号を光信号から電気信号に変換する上りデータ信号用フォトダイオード１１４、上りデータ光信号と下りデータ光信号を波長分離多重する第２波長分離多重部１１５から構成される。下りデータ光信号送信部は、下り用レーザダイオード１１３と局側データ信号処理部１１２から構成される。
【００２７】
加入者側装置３０２は、局側装置１０１が送受信するデータ信号を送受信する加入者側データ信号用送受信部３１７、局側装置１０１が連続して送信する映像信号により変調された映像光信号（連続光信号）を電気信号に変換する映像信号用フォトダイオード３２１、映像信号用フォトダイオード３２１が電気信号に変換した信号を処理する映像信号受信部３２２、映像信号用フォトダイオード３２１の出力信号から映像光信号の光受信レベルを検出する光受信レベル検出部３２３、映像光信号の光受信レベルに関する閾値を保持する光受信レベル閾値保持部３２４、上りデータ光信号の光送信レベルを指示する上り光送信レベル指示部３２６、上りデータ光信号と下りデータ光信号と局側装置１０１から送出される映像光信号とを波長分離多重する第１波長分離多重部３３１を含んで構成される。
【００２８】
加入者側データ信号用送受信部３１７は、上りデータ信号および下りデータ信号、映像光信号の光受信レベル変化検出信号を分離多重する加入者側データ信号処理部３１８、上りデータ信号を電気信号から光信号に変換する上り用レーザダイオード３１３、局側装置１０１が送信する下りデータ光信号を光信号から電気信号に変換する下りデータ信号用フォトダイオード３１４、上りデータ光信号と下りデータ光信号を波長分離多重する第２波長分離多重部３１５、上り用レーザダイオード３１３の光送信レベルを調整する上り用レーザダイオード駆動部３１６から構成される。上りデータ光信号送信部は、上り用レーザダイオード３１３と上り用レーザダイオード駆動部３１６から構成される。
【００２９】
次に動作について説明する。映像信号送信部１２１は、映像光信号を連続して第１波長分離多重部１３１に送出する。局側データ信号処理部１１２は、上位ネットワークから送出される下りデータ信号に対して所定の信号処理を実施し、下り用レーザダイオード１１３に送出する。下り用レーザダイオード１１３は、下りデータ信号を電気信号から光信号に変換し、第２波長分離多重部１１５に送出する。第２波長分離多重部１１５は、下りデータ光信号を第１波長分離多重部１３１に送出する。第１波長分離多重部１３１は、映像光信号と下りデータ光信号とを波長多重し、光ファイバ２０１に送出する。映像光信号と下りデータ光信号とを波長多重した信号は、スターカプラ２０２で分配され、光ファイバ２０４ａ〜２０４ｎを介して加入者側装置３０２ａ〜３０２ｎに到達する。
【００３０】
第１波長分離多重部３３１は、加入者側装置３０２に到達した映像光信号と下りデータ光信号とを波長多重した信号を受信し、映像光信号と下りデータ光信号とに波長分離する。第１波長分離多重部３３１は、映像光信号を映像信号用フォトダイオード３２１に送出し、下りデータ光信号を第２波長分離多重部３１５に送出する。映像信号用フォトダイオード３２１は、映像光信号を光信号から電気信号に変換し、映像信号受信部３２２および映像信号受信レベル検出部３２３に送出する。映像信号受信部３２２の動作は、実施の形態１と同様である。光受信レベル検出部３２３は、映像信号用フォトダイオード３２１の出力信号から映像光信号の光受信レベルを検出し、上り光送信レベル指示部３２６に通知する。
【００３１】
局側装置１０１が、映像光信号を連続して送信するため、光受信レベル検出部３２３は、映像光信号を加入者側装置３０２が受信中かどうか判定する必要はない。また、光受信レベル検出部３２３が光受信レベルを検出する周期は、想定される局側装置１０１と加入者側装置３０２との間の伝送路損失の変化に要する時間に応じて、連続して映像光信号の光受信レベルを検出するようにしてもよいし、所定の周期で映像光信号の光受信レベルを検出するようにしてもよい。光受信レベルを検出する周期を長くする場合、加入者側装置３０２の単位時間当たりの光受信レベルの検出と光送信レベル指示（後述）を実施する回数は少なくなり、引いては加入者側装置３０２の年間消費電力量は小さくなる。
【００３２】
上り光送信レベル指示部３２６は、光受信レベル検出部３２３により通知された光受信レベルが、光受信レベル閾値保持部３２４が保持する閾値以下の場合、上りデータ光信号光送信レベルを、所定の値上昇させるよう、上り用レーザダイオード駆動部３１６に指示するとともに、光受信レベル変化検出信号を、加入者側データ信号処理部３１８に送出する。なお、光受信レベル閾値保持部３２４は、加入者側装置３０２の運用期間中における前記光受信レベルの最大値から既定の値だけ低い値を算出し、この値を閾値として保持するようにしてもよい。この場合、加入者側装置３０２に、あらかじめ局側装置１０１と加入者側装置３０２との間の伝送路損失を測定して、光受信レベル閾値保持部３２４に適切な閾値を保持させるという作業が不要となる。
【００３３】
第２波長分離多重部３１５は、第１波長分離多重部３３１が波長分離した下りデータ光信号を、下りデータ信号用フォトダイオード３１４に送出する。下りデータ信号用フォトダイオード３１４は、下りデータ光信号を光信号から電気信号に変換し、加入者側データ信号処理部３１８へ送出する。加入者側データ信号処理部３１８は、下りデータ信号に対して所定の信号処理を実施し、加入者端末４０１に送出する。
【００３４】
加入者側データ信号処理部３１８は、加入者端末４０１が送出する上りデータ信号に、上り光送信レベル指示部３２６から送出された光受信レベル変化検出信号を多重し、所定の信号処理を実施後、上り用レーザダイオード駆動部３１６に送出する。上り用レーザダイオード駆動部３１６、上り用レーザダイオード３１３、第２波長分離多重部３１５、第１波長分離多重部３３１の動作は、実施の形態１と同様である。各加入者側装置３０２ａ〜３０２ｎから送出された、光受信レベル変化検出信号を含む上りデータ光信号は、スターカプラ２０２で多重され、光ファイバ２０１を介して局側装置１０１に到達する。
【００３５】
光ファイバ２０４の経年変化等に伴い、局側装置１０１と加入者側装置３０１との間の伝送路損失が増大した場合、局側装置１０１における上り光データ信号の光受信レベルは、加入者側装置３０１を設置した当初と比較して低くなる。上り光送信レベル指示部３２６は、光ファイバ２０１の経年変化等による映像信号の光受信レベルの変化を検出して、上りデータ光信号の光送信レベルを上昇させるよう上り用レーザダイオード駆動部３１６に指示するため、局側装置１０１は、光ファイバ２０１の経年変化等による伝送路損失の増大に係わらず、上りデータ光信号を受信することが可能である。
【００３６】
第１波長分離多重部１３１は、局側装置１０１に到達した光受信レベル変化検出信号を含む上りデータ光信号を、第２波長分離多重部１１５に送出する。第２波長分離多重部１１５は、光受信レベル変化検出信号を含む上りデータ光信号を、上りデータ信号用フォトダイオード１１４に送出する。上りデータ信号用フォトダイオード１１４は、光受信レベル変化検出信号を含む上りデータ光信号を光信号から電気信号に変換し、局側データ信号処理部１１２へ送出する。
【００３７】
局側データ信号処理部１１２は、光受信レベル変化検出信号と上りデータ信号を分離する。局側データ信号処理部１１２は、光受信レベル変化検出信号を受信した場合、光受信レベル変化検出信号を送信した加入者側装置に対する下りデータ光信号光送信レベルを、所定の値上昇させるよう、下り用レーザダイオード１１３を駆動する。
【００３８】
光ファイバ２０４の経年変化等に伴い、局側装置１０１と加入者側装置３０２との間の伝送路損失が増大した場合、加入者側装置３０２における上りデータ光信号の光受信レベルは、加入者側装置３０２を設置した当初と比較して低くなる。局側データ信号処理部１１２は、上り光送信レベル指示部３２６により送出された光受信レベル変化検出信号を受信した場合、下りデータ光信号の光送信レベルを上昇させるよう下り用レーザダイオード１１３を駆動するため、加入者側装置３０２は、光ファイバ２０４の経年変化等による伝送路損失の増大に係わらず、下りデータ光信号を受信することが可能である。
【００３９】
以上のように、本実施の形態２は、光受信レベル変化検出信号を、上りデータ光信号に多重するように構成したので、実施の形態１の作用効果に加え、下りデータ光信号光送信レベルを、光ファイバの経年変化等による局側装置１０１と加入者側装置３０２との間の伝送路損失の増大によらず、適切な値とすることが可能となる。
【００４０】
なお、本実施の形態２では、局側装置が連続して送信する、映像信号により変調された映像光信号を光受信レベルの検出対象としたが、映像信号などにより変調されていない連続光信号を光受信レベルの検出対象としてもよい。映像信号などにより変調されていない連続光信号は、一定の値となり、かつ値に偏りが発生しないため、同様の動作を行なわせることができる。この場合、局側装置と加入者側装置の構成が簡素となり、製造コストや組み立てコストを小さくすることが可能となる。
【００４１】
また、本実施の形態２では、局側装置が、光受信レベル変化検出信号を受信した場合に、下りデータ信号の光送信レベルを上昇させるように構成したが、同様に映像光信号の光送信レベルを上昇させるように構成することも可能である。この場合、映像光信号光送信レベルを、光ファイバの経年変化等による局側装置と加入者側装置との間の伝送路損失の増大によらず、適切な値とすることが可能となる。
【００４２】
実施の形態３．
図５は、本発明の実施の形態３における加入者側装置と、これを含む光通信システムの構成を示したものである。図１または図４と同じ符号のものは同様の機能を有するので、説明を繰り返さない。図５において加入者側装置３０３は光ファイバ２０１を介して局側装置１０１と接続し、光通信システムを構成する。
【００４３】
加入者側装置３０３は、局側装置１０１が送受信するデータ光信号を送受信する加入者側データ信号用送受信部３１１、局側装置１０１が連続して送信する映像信号により変調された映像光信号（連続光信号）を電気信号に変換する映像信号用フォトダイオード３２１、映像信号用フォトダイオード３２１が電気信号に変換した信号を処理する映像信号受信部３２２、映像信号用フォトダイオード３２１の出力信号から映像光信号の光受信レベルを検出する光受信レベル検出部３２３、局側装置１０１の映像信号の光送信レベルを保持する連続光信号送信レベル保持部３２７、局側装置１０１の上りデータ光信号の光受信レベルを保持する上り光信号受信レベル保持部３２８、上りデータ光信号の光送信レベルを指示する上り光送信レベル指示部３２９、上りデータ光信号と下りデータ光信号と局側装置１０１から送出される映像光信号とを波長分離多重する第１波長分離多重部３３１を含んで構成される
【００４４】
次に動作について説明する。第１波長分離多重部３３１、映像信号用フォトダイオード３２１の動作は実施の形態１と同様である。光受信レベル検出部３２３は、映像信号用フォトダイオード３２１の出力信号から映像光信号の光受信レベルを検出し、上り光送信レベル指示部３２９に通知する。
【００４５】
局側装置１０１が、映像光信号を連続して送信するため、光受信レベル検出部３２３は、映像光信号を加入者側装置３０１が受信中かどうか判定する必要はない。また、光受信レベル検出部３２３が光受信レベルを検出する周期は、想定される局側装置１０１と加入者側装置３０３との間の伝送路損失の変化に要する時間に応じて、連続して映像光信号の光受信レベルを検出するようにしてもよいし、所定の周期で映像光信号の光受信レベルを検出するようにしてもよい。光受信レベルを検出する周期を長くする場合、加入者側装置３０３の単位時間当たりの光受信レベルの検出と光送信レベル指示（後述）を実施する回数は少なくなり、引いては加入者側装置３０３の年間消費電力量は小さくなる。
【００４６】
上り光送信レベル指示部３２９は、連続光信号送信レベル保持部３２７が保持する映像光信号の光送信レベルから、光受信レベル検出部３２３により通知された光受信レベルを減算して、局側装置１０１と加入者側装置３０３との間の伝送路損失を算出する。上り光送信レベル指示部３２９は、算出した伝送路損失に、上り光信号受信レベル保持部３２８が保持する局側装置１０１の上りデータ光信号の光受信レベルを加算して上りデータ光信号光送信レベルを算出し、上り用レーザダイオード駆動部３１６に上りデータ光信号光送信レベルを指示する。
【００４７】
第２波長分離多重部３１５、下りデータ信号用フォトダイオード３１４、加入者側データ信号処理部３１２の動作は実施の形態１と同様である。上り用レーザダイオード駆動部３１６は、加入者側データ信号処理部３１２が送出する上りデータ信号が、上り光送信レベル指示部３２９から指示された光送信レベルで送出されるよう、上り用レーザダイオード３１３を駆動する。上り用レーザダイオード３１３、第２波長分離多重部３１５、第１波長分離多重部３３１の動作は実施の形態１と同様である。光ファイバ２０１に送出された上りデータ光信号は、局側装置１０１に到達する。
【００４８】
局側装置１０１に到達した上りデータ光信号は、局側装置１０１と加入者側装置３０３との間の伝送路損失により減衰するが、上り光送信レベル指示部３２９は、光受信レベル検出部３２３により検出された光受信レベルから算出された局側装置１０１と加入者側装置３０３との間の伝送路損失を算出して、上りデータ光信号の光送信レベルを決定しているため、局側装置１０１は、上りデータ光信号を、上り光信号受信レベル保持部３２８が保持する上りデータ光信号の光受信レベルで受信することが可能である。また、光ファイバ２０１の経年変化等に伴い、局側装置１０１と加入者側装置３０３との間の伝送路損失が変化した場合においても、局側装置１０１は、上りデータ光信号を、上り光信号受信レベル保持部３２８が保持する上りデータ光信号の光受信レベルで受信することが可能である。
【００４９】
以上のように、本実施の形態３によれば、加入者側装置が局側装置の映像光信号の光送信レベルと局側装置の上りデータ光信号の光受信レベルを保持する構成としたので、実施の形態１の作用効果に加え、上りデータ光信号の光送信レベルを、加入者側装置の設置場所による局側装置から加入者側装置までの距離の違いや光ファイバの経年変化等による局側装置と加入者側装置との間の伝送路損失の変化によらず、適切な値とすることが可能となり、加入者側装置の上りデータ光信号の光送信による消費電力を自動で最適化することができる。
【００５０】
なお、本実施の形態３では、局側装置が連続して送信する、映像信号により変調された映像光信号を光受信レベルの検出対象としたが、映像信号などにより変調されていない連続光信号を光受信レベルの検出対象としてもよい。映像信号などにより変調されていない連続光信号は、一定の値となり、かつ値に偏りが発生しないため、同様の動作を行なわせることができる。この場合、局側装置と加入者側装置の構成が簡素となり、製造コストや組み立てコストを小さくすることが可能となる。
【００５１】
実施の形態４．
図６は、本発明の実施の形態４における加入者側装置と、これを含む光通信システムの構成を示したものである。図１または図４、図５と同じ符号のものは同様の機能を有するので、説明を繰り返さない。図６において光通信システムは、局側装置１０２が、スターカプラ２０２によって複数の光ファイバ２０４ａ〜２０４ｎに分岐された光ファイバ２０１を介し、複数の加入者側装置３０４ａ〜３０４ｎと接続する構成であり、局側装置と複数の加入者側装置とがスターカプラを介して１本の光ファイバで双方向のデータ通信を行なう通信システムである。
【００５２】
局側装置１０２は、複数の加入者側装置３０４ａ〜３０４ｎが送受信するデータ信号を送受信する局側データ信号用送受信部１１６、映像信号により変調された映像光信号（連続光信号）を複数の加入者側装置３０４ａ〜３０４ｎに連続して送信する映像信号送信部１２１、複数の加入者側装置３０４ａ〜３０４ｎが送信する加入者の下りデータ光信号の光受信レベルを複数の加入者側装置ごとに保持する下り光信号受信レベル保持部１２２、複数の加入者側装置３０４ａ〜３０４ｎが送信する加入者の映像光信号の光受信レベルを複数の加入者側装置ごとに保持する連続光信号受信レベル保持部１２３、下りデータ光信号の光送信レベルを指示する下り光送信レベル指示部１２４、上りデータ光信号と下りデータ光信号と映像光信号とを波長分離多重する第１波長分離多重部１３１を含んで構成される。
【００５３】
映像信号送信部１２１は、映像信号光送信レベルを保持する。
【００５４】
局側データ信号用送受信部１１６は、上りデータ信号および下りデータ信号を多重分離する局側データ信号処理部１１７、下りデータ信号を電気信号から光信号に変換する下り用レーザダイオード１１３、複数の加入者側装置３０４ａ〜３０４ｎが送信する映像光信号の光受信レベル情報および下りデータ光信号の光受信レベル情報を含む上りデータ光信号を光信号から電気信号に変換する上りデータ信号用フォトダイオード１１４、映像光信号の光受信レベル情報および下りデータ光信号の光受信レベル情報を含む上りデータ光信号と下りデータ光信号を波長分離多重する第２波長分離多重部１１５、下り用レーザダイオード１１３の光送信レベルを調整する下り用レーザダイオード駆動部１１８から構成される。下りデータ光信号送信部は、下り用レーザダイオード１１３と下り用レーザダイオード駆動部１１８から構成される。
【００５５】
上りデータ信号用フォトダイオード１１４は、上りデータ光信号光受信レベルを保持する。
【００５６】
加入者側装置３０４は、局側装置１０２が送受信するデータ信号を送受信する加入者側データ信号用送受信部３４２、局側装置１０２が連続して送信する映像信号により変調された映像光信号（連続光信号）を電気信号に変換する映像信号用フォトダイオード３２１、映像信号用フォトダイオード３２１が電気信号に変換した信号を処理する映像信号受信部３２２、映像信号用フォトダイオード３２１の出力信号から映像光信号の光受信レベルを検出する光受信レベル検出部３２３、局側装置１０２の映像信号の光送信レベルを保持する連続光信号送信レベル保持部３２７、局側装置１０２の上りデータ光信号の光受信レベルを保持する上り光信号受信レベル保持部３２８、上りデータ光信号の光送信レベルを指示する上り光送信レベル指示部３４１、上りデータ光信号と下りデータ光信号と局側装置１０１から送出される映像光信号とを波長分離多重する第１波長分離多重部３３１を含んで構成される
【００５７】
加入者側データ信号用送受信部３４２は、上りデータ信号および下りデータ信号を多重分離する加入者側データ信号処理部３４３、上りデータ信号を電気信号から光信号に変換する上り用レーザダイオード３１３、局側装置１０２が送信する下りデータ光信号を光信号から電気信号に変換する下りデータ信号用フォトダイオード３１４、上りデータ光信号と下りデータ光信号を波長分離多重する第２波長分離多重部３１５、上り用レーザダイオード３１３の光送信レベルを調整する上り用レーザダイオード駆動部３１６から構成される。上りデータ光信号送信部は、上り用レーザダイオード３１３と上り用レーザダイオード駆動部３１６から構成される。
【００５８】
下りデータ信号用フォトダイオード３１４は、下りデータ光信号光受信レベルをほじする。
【００５９】
次に動作について説明する。映像信号送信部１２１は、映像光信号を連続して第１波長分離多重部１３１に送出する。局側データ信号処理部１１７は、上位ネットワークから送出される下りデータ信号に、映像信号送信部１２１が保持する映像信号光送信レベル情報および上りデータ信号用フォトダイオード１１４が保持する上りデータ光信号光受信レベル情報を多重し、所定の信号処理を実施後、下り用レーザダイオード駆動部１１８に送出する。下り用レーザダイオード駆動部１１８は、局側データ信号処理部１１７が送出する映像信号光送信レベル情報および上りデータ光信号光受信レベル情報を含む下りデータ信号が、下り光送信レベル指示部１２４が指示する光送信レベル（後述）で送出されるよう、下り用レーザダイオード１１３を駆動する。下り用レーザダイオード１１３、第２波長分離多重部１１５、第１波長分離多重部１３１の動作は、実施の形態２と同様である。映像光信号と映像信号光送信レベル情報および上りデータ光信号光受信レベル情報を含む下りデータ光信号とを波長多重した信号は、スターカプラ２０２で分配され、光ファイバ２０４ａ〜２０４ｎを介して加入者側装置３０４ａ〜３０４ｎに到達する。
【００６０】
第１波長分離多重部３３１、映像信号用フォトダイオード３２１の動作は実施の形態１と同様である。光受信レベル検出部３２３は、映像信号用フォトダイオード３２１の出力信号から映像光信号の光受信レベルを検出し、上り光送信レベル指示部３４１に通知する。
【００６１】
局側装置１０２が、映像光信号を連続して送信するため、光受信レベル検出部３２３は、映像光信号を加入者側装置３０４が受信中かどうか判定する必要はない。また、光受信レベル検出部３２３が光受信レベルを検出する周期は、想定される局側装置１０２と加入者側装置３０４との間の伝送路損失の変化に要する時間に応じて、連続して映像光信号の光受信レベルを検出するようにしてもよいし、所定の周期で映像光信号の光受信レベルを検出するようにしてもよい。光受信レベルを検出する周期を長くする場合、加入者側装置３０４の単位時間当たりの光受信レベルの検出と光送信レベル指示（後述）を実施する回数は少なくなり、引いては加入者側装置３０２の年間消費電力量は小さくなる。
【００６２】
上り光送信レベル指示部３４１は、連続光信号送信レベル保持部３２７が保持する映像光信号の光送信レベルから、光受信レベル検出部３２３により通知された光受信レベルを減算して、局側装置１０２と加入者側装置３０４との間の伝送路損失を算出する。上り光送信レベル指示部３４１は、算出した伝送路損失に、上り光信号受信レベル保持部３２８が保持する局側装置１０２の上りデータ光信号の光受信レベルを加算して上りデータ光信号の光送信レベルを算出し、上り用レーザダイオード駆動部３１６に光送信レベルを指示する。
【００６３】
第２波長分離多重部３１５、下りデータ信号用フォトダイオード３１４の動作は実施の形態１と同様である。
【００６４】
加入者側データ信号処理部３４３は、映像信号光送信レベル情報および上りデータ光信号光受信レベル情報と下りデータ信号とを分離する。加入者側データ信号処理部３４３は、映像信号光送信レベル情報を連続光信号送信レベル保持部３２７に送出し、上りデータ光信号光受信レベル情報を上り光信号受信レベル保持部３２８に送出し、下りデータ信号に対して所定の信号処理を実施し、加入者端末４０１に送出する。連続光信号送信レベル保持部３２７は、加入者側データ信号処理部３４３から送出された映像信号光送信レベル情報を保持する。上り光信号受信レベル保持部３２８は、加入者側データ信号処理部３４３から送出された上りデータ光信号光受信レベル情報を保持する。
【００６５】
加入者側データ信号処理部３４３は、加入者端末４０１が送出する上りデータ信号に、映像信号受信レベル検出部３２３により通知された映像光信号の光受信レベルと下りデータ信号用フォトダイオード３１４が保持する下りデータ光信号光受信レベル情報を多重し、所定の信号処理を実施後、上り用レーザダイオード駆動部３１６に送出する。上り用レーザダイオード駆動部３１６は、加入者側データ信号処理部３４３が送出する上りデータ信号が、上り光送信レベル指示部３４１から指示された光送信レベルで送出されるよう、上り用レーザダイオード３１３を駆動する。上り用レーザダイオード３１３、第２波長分離多重部３１５、第１波長分離多重部３３１の動作は、実施の形態３と同様である。光ファイバ２０４に送出された上りデータ光信号は、局側装置１０２に到達する。
【００６６】
局側装置１０２に到達した上りデータ光信号は、局側装置１０２と加入者側装置３０４との間の伝送路損失により減衰するが、上り光送信レベル指示部３４１は、光受信レベル検出部３２３により検出された光受信レベルから算出された局側装置１０２と加入者側装置３０４との間の伝送路損失を算出して、上りデータ光信号の光送信レベルを決定しているため、局側装置１０２は、上りデータ光信号を、上り光信号受信レベル保持部３２８が保持する上りデータ光信号の光受信レベルで受信することが可能である。また、光ファイバ２０４の経年変化等に伴い、局側装置１０２と加入者側装置３０４との間の伝送路損失が変化した場合においても、局側装置１０２は、上りデータ光信号を、上り光信号受信レベル保持部３２８が保持する上りデータ光信号の光受信レベルで受信することが可能である。
【００６７】
第１波長分離多重部１３１、第２波長分離多重部１１５、上りデータ信号用フォトダイオード１１４の動作は実施の形態２と同様である。
【００６８】
局側データ信号処理部１１７は、映像光信号の光受信レベル情報と下りデータ光信号の光受信レベル情報と上りデータ信号とを分離する。局側データ信号処理部１１７は、下りデータ光信号の光受信レベル情報を下り光信号受信レベル保持部１２２へ送出し、映像光信号の光受信レベル情報を連続光信号受信レベル保持部１２３へ送出し、上りデータ信号に対して所定の信号処理を実施し、上位ネットワークに送出する。下り光信号受信レベル保持部１２２は、局側データ信号処理部１１７から送出された下りデータ光信号の光受信レベル情報を、複数の加入者側装置３０４ａ〜３０４ｎごとに保持する。連続光信号受信レベル保持部１２３は、局側データ信号処理部１１７から送出された映像光信号の光受信レベル情報を、複数の加入者側装置３０４ａ〜３０４ｎごとに保持する。
【００６９】
下り光送信レベル指示部１２４は、映像信号送信部１２１の映像光信号の光送信レベルから、連続光信号受信レベル保持部１２３が複数の加入者側装置３０４ａ〜３０４ｎごとに保持する映像光信号の光受信レベルを減算して、局側装置１０２と複数の加入者側装置３０４ａ〜３０４ｎとの間の伝送路損失を複数の加入者側装置３０４ａ〜３０４ｎごとに算出する。下り光送信レベル指示部１２４は、算出した伝送路損失に、下り光信号受信レベル保持部１２２が複数の加入者側装置３０４ａ〜３０４ｎごとに保持する下りデータ光信号の光受信レベルを加算して下りデータ光信号光送信レベルを複数の加入者側装置３０４ａ〜３０４ｎごとに算出し、下り用レーザダイオード駆動部１１８に光送信レベルを指示する。
【００７０】
局側データ信号処理部１１７は、上位ネットワークから送出される下りデータ信号に、映像信号送信部１２１が保持する映像信号光送信レベル情報および上りデータ信号用フォトダイオード１１４が保持する上りデータ光信号光受信レベル情報を多重し、所定の信号処理を実施後、下り用レーザダイオード駆動部１１８に送出する。下り用レーザダイオード駆動部１１８は、局側データ信号処理部１１７が送出する映像信号光送信レベル情報および上りデータ光信号光受信レベル情報を含む下りデータ信号が、下り用レーザダイオード駆動部１１８から指示された光送信レベルで送出されるよう、下り用レーザダイオード１１３を駆動する。下り用レーザダイオード１１３、第２波長分離多重部１１５、第１波長分離多重部１３１の動作は、実施の形態２と同様である。映像光信号と映像信号光送信レベル情報および上りデータ光信号光受信レベル情報を含む下りデータ光信号とを波長多重した信号は、スターカプラ２０２で分配され、光ファイバ２０４ａ〜２０４ｎを介して加入者側装置３０４ａ〜３０４ｎに到達する。
【００７１】
加入者側装置３０４に到達した映像光信号と映像信号光送信レベル情報および上りデータ光信号光受信レベル情報を含む下りデータ光信号とを波長多重した信号は、局側装置１０２と加入者側装置３０４との間の伝送路損失により減衰するが、下り光送信レベル指示部１２４は、連続光信号受信レベル保持部１２３が保持する光受信レベルから算出された局側装置１０２と加入者側装置３０４との間の伝送路損失を用いて、下りデータ光信号の光送信レベルを決定しているため、加入者側装置１０２は、下りデータ光信号を、下り光信号受信レベル保持部１２２が保持する下りデータ光信号の光受信レベルで受信することが可能である。また、光ファイバ２０４の経年変化等に伴い、局側装置１０２と加入者側装置３０４との間の伝送路損失が変化した場合においても、加入者側装置１０２は、下りデータ光信号を、下り光信号受信レベル保持部１２２が保持する下りデータ光信号の光受信レベルで受信することが可能である。
【００７２】
以上のように、本実施の形態４によれば、下りデータ光信号に、映像信号光送信レベル情報および局側装置の上りデータ光信号光受信レベル情報を多重するように構成したので、実施の形態３の作用効果に加え、映像信号光送信レベル情報および局側装置の上りデータ光信号光受信レベル情報が変化した場合においても、上りデータ光信号の光送信レベルを適切な値とすることが可能となる。また、上りデータ光信号に、加入者側装置が検出した映像光信号の光受信レベルと加入者側装置の下りデータ光信号光受信レベル情報を多重化するように構成したため、下りデータ光信号の光送信レベルを、加入者側装置の設置場所による局側装置から加入者側装置までの距離の違いや光ファイバの経年変化等による局側装置と加入者側装置との間の伝送路損失の変化によらず、適切な値とすることが可能となり、局側装置の下りデータ光信号の光送信による消費電力を自動で最適化することができる。
【００７３】
なお、本実施の形態４では、局側装置が連続して送信する、映像信号により変調された映像光信号を光受信レベルの検出対象としたが、映像信号などにより変調されていない連続光信号を光受信レベルの検出対象としてもよい。映像信号などにより変調されていない連続光信号は、一定の値となり、かつ値に偏りが発生しないため、同様の動作を行なわせることができる。この場合、局側装置と加入者側装置の構成が簡素となり、製造コストや組み立てコストを小さくすることが可能となる。
【００７４】
また、本実施の形態４では、加入者側装置が、映像光信号の光受信レベル情報を上りデータ信号に多重し、局側装置に送出するように構成したが、伝送路損失情報を上りデータ信号に多重し、局側装置に送出するように構成してもよい。この場合、局側装置において、伝送路損失を算出する必要がなくなり、より構成を簡素化することが可能となる。
【００７５】
さらに、本実施の形態４では、局側装置が、加入者側装置が検出した映像光信号の光受信レベルから、下りデータ光信号の光送信レベルを算出するように構成したが、同様に映像光信号の光送信レベルを上昇させるように構成することも可能である。この場合、映像光信号光送信レベルを、光ファイバの経年変化等による局側装置と加入者側装置との間の伝送路損失の変化によらず、適切な値とすることが可能となる。
【符号の説明】
【００７６】
１０１    局側装置
１０２    局側装置
１１１    局側データ信号用送受信部
１１２    局側データ信号処理部
１１３    下り用レーザダイオード
１１４    上りデータ信号用フォトダイオード
１１５    第２波長分離多重部
１１６    局側データ信号用送受信部
１１７    局側データ信号処理部
１１８    下り用レーザダイオード駆動部
１２１    映像信号送信部
１２２    下り光信号受信レベル保持部
１２３    連続光信号受信レベル保持部
１２４    下り光送信レベル指示部
１３１    第１波長分離多重部
２０１    光ファイバ
２０２    スターカプラ
２０４    光ファイバ
３０１    加入者側装置
３０２    加入者側装置
３０３    加入者側装置
３０４    加入者側装置
３１１    加入者側データ信号用送受信部
３１２    加入者側データ信号処理部
３１３    上り用レーザダイオード
３１４    下りデータ信号用フォトダイオード
３１５    第２波長分離多重部
３１６    上り用レーザダイオード駆動部
３１７    加入者側データ信号用送受信部
３１８    加入者側データ信号処理部
３２１    映像信号用フォトダイオード
３２２    映像信号受信部
３２３    光受信レベル検出部
３２４    光受信レベル閾値保持部
３２５    上り光送信レベル指示部
３２６    上り光送信レベル指示部
３２７    連続光信号送信レベル保持部
３２８    上り光信号受信レベル保持部
３２９    上り光送信レベル指示部
３３１    第１波長分離多重部
３４１    上り光送信レベル指示部
３４２    加入者側データ信号用送受信部
３４３    加入者側データ信号処理部
４０１    加入者端末
【図１】
0005617415.tif 000002
【図２】
0005617415.tif 000003
【図３】
0005617415.tif 000004
【図４】
0005617415.tif 000005
【図５】
0005617415.tif 000006
【図６】
0005617415.tif 000007